(57)【要約】【課題】様々な形状の端子間を安全にケーブルで接続できるケーブル接続装置を提供する。【解決手段】  ケーブル接続装置は、第１の電圧が印加される第１の形状の端子が接続される第１の接続部と、第２の電圧が印加される第１の形状とは異なる第２の形状の端子が接続される第２の接続部と、第１及び第２の接続部に第１のケーブルを介して接続され、第１及び第２の電圧の少なくとも何れか一方の電圧が印加されるコネクタと、を備え、コネクタは、  コネクタに接続される相手側コネクタに第２のケーブルを介して接続された端子の電圧と、コネクタに印加される電圧とが一致するよう、相手方コネクタに接続されるコネクタである。【選択図】図１
2012043699.tif 000002
【特許請求の範囲】
【請求項１】
第１の電圧が印加される第１の形状の端子が接続される第１の接続部と、
第２の電圧が印加される前記第１の形状とは異なる第２の形状の端子が接続される第２の接続部と、
前記第１及び第２の接続部に第１のケーブルを介して接続され、前記第１及び第２の電圧の少なくとも何れか一方の電圧が印加されるコネクタと、
を備え、
前記コネクタは、
前記コネクタに接続される相手側コネクタに第２のケーブルを介して接続された端子の電圧と、前記コネクタに印加される電圧とが一致するよう、前記相手方コネクタに接続されるコネクタであること、
を特徴とするケーブル接続装置。
【請求項２】
請求項１に記載のケーブル接続装置であって、
前記第１の接続部は、
前記第１の形状のプラグが接続され、一対の電極を含む第１のコンセントであり、
前記第２の接続部は、
前記第２の形状のプラグが接続され、３本の電極を含む第２のコンセントであり、
前記第１のケーブルは、
前記第１のコンセントの一方の電極及び前記第２のコンセントの第１の電極に接続される第１の芯線と、前記第１のコンセントの他方の電極及び前記第２のコンセントの第２の電極に接続される第２の芯線と、前記第２のコンセントの第３の電極に接続される第３の芯線とを含み、
前記コネクタは、
前記第１〜第３の芯線に接続されてなること、
を特徴とするケーブル接続装置。
【請求項３】
請求項１に記載のケーブル接続装置であって、
前記第１の接続部は、
前記第１の形状のプラグが接続され、一対の電極を含む第１のコンセントであり、
前記第２の接続部は、
直流電圧が印加される一対の電極を含み、
前記第１のケーブルは、
前記第１のコンセントの夫々の電極に接続される第１及び第２の芯線と、前記直流電圧が印加される一対の電極の夫々に接続される第３及び第４の芯線とを含み、
前記コネクタは、
前記第１〜第４の芯線の夫々に接続されてなること、
を特徴とするケーブル接続装置。
【請求項４】
第１の電圧が印加される第１の形状の端子が接続される第１の接続部と、
第２の電圧が印加される前記第１の形状とは異なる第２の形状の端子が接続される第２の接続部と、
前記第１及び第２の接続部に第１のケーブルを介して接続され、前記第１及び第２の電圧の少なくとも何れか一方の電圧が印加されるコネクタと、
前記コネクタに接続される相手方コネクタと、
前記相手方コネクタに第２のケーブルを介して接続され、前記コネクタに印加される電圧が印加される端子と、
を備えることを特徴とするケーブル接続装置。
【発明の詳細な説明】
【技術分野】
【０００１】
本発明は、ケーブル接続装置に関する。
【背景技術】
【０００２】
電源装置からの電源を、例えば作業用の分電盤に供給するためには、電源装置と分電盤とをケーブル等で接続する必要がある。また、工事現場等において電気器具を用いる際には、工事現場に設けられた作業用の分電盤と電気器具とをケーブルで接続することがある（例えば、特許文献１参照）。
【先行技術文献】
【特許文献】
【０００３】
【特許文献１】特許２００８−４２４２９号公報
【発明の概要】
【発明が解決しようとする課題】
【０００４】
ところで、例えば電源装置と分電盤とをケーブルで接続する際には、電源装置及び分電盤の端子の形状や、電源装置と分電盤との距離によっては、既存のケーブルを用いることができないことがある。このような場合、電源装置の端子に一端が接続されたケーブルの他端と、分電盤の端子に一端が接続されたケーブルの他端との間をビニールテープ等で接続し、電源装置と分電盤とを接続することがある。しかしながら、ビニールテープが巻かれた箇所は、例えば接地される危険性が高いため、安全性に欠けるという問題があった。また、このような問題は、例えば分電盤と電気器具とを接続する場合にも発生し得る。
【０００５】
本発明は上記課題を鑑みてなされたものであり、様々な形状の端子間を安全にケーブルで接続できるケーブル接続装置を提供することを目的とする。
【課題を解決するための手段】
【０００６】
上記目的を達成するため、本発明の一つの側面に係るケーブル接続装置は、第１の電圧が印加される第１の形状の端子が接続される第１の接続部と、第２の電圧が印加される前記第１の形状とは異なる第２の形状の端子が接続される第２の接続部と、前記第１及び第２の接続部に第１のケーブルを介して接続され、前記第１及び第２の電圧の少なくとも何れか一方の電圧が印加されるコネクタと、を備え、前記コネクタは、前記コネクタに接続される相手側コネクタに第２のケーブルを介して接続された端子の電圧と、前記コネクタに印加される電圧とが一致するよう、前記相手方コネクタに接続されるコネクタである。
【発明の効果】
【０００７】
本発明によれば、様々な形状の端子間を安全にケーブルで接続できるケーブル接続装置を提供することができる。
【図面の簡単な説明】
【０００８】
【図１】本発明の一実施形態である電工ドラム１０の構成を示す図である。
【図２】接続板２１の詳細を示す図である。
【図３】接続板２１、ケーブル２２、及びコネクタ２３の接続関係を示す図である。
【図４】ケーブル装置１００の構成を示す図である。
【図５】ケーブル装置１０１の構成を示す図である。
【図６】ケーブル装置１０２の構成を示す図である。
【図７】ケーブル装置１０３の構成を示す図である。
【図８】ケーブル装置１０５の構成を示す図である。
【図９】ケーブル装置１０６の構成を示す図である。
【図１０】ケーブル装置１０７の構成を示す図である。
【図１１】三相のＡＣ２００Ｖ及びＤＣ１００Ｖを作業用分電盤２１０に供給する際の電工ドラム１０の使用例を示す図である。
【図１２】三相のＡＣ２００Ｖを作業用分電盤２１０に供給する際の電工ドラム１０の使用例。
【図１３】コンセント２５０からの電源を電気器具２６０に供給する際の電工ドラム１０の使用例を示す図である。
【発明を実施するための形態】
【０００９】
本明細書および添付図面の記載により、少なくとも以下の事項が明らかとなる。
【００１０】
図１は、本発明の一実施形態である電工ドラム１０の構成を示す図である。電工ドラム１０は、胴部２０、接続板２１、ケーブル２２、及びコネクタ２３を含んで構成される。
【００１１】
電工ドラム１０（ケーブル接続装置）の胴部２０には、プラグや端子が接続される接続板２１が設けられている。ケーブル２２（第１のケーブル）は、接続板２１とコネクタ２３との間を接続するケーブルである。
【００１２】
図２は、接続板２１の詳細を示す図である。接続板２１には、一般的な電源プラグが接続されるコンセント４０〜４２、及びクリップ形状の端子が接続される接続部４５が設けられている。
【００１３】
コンセント４０（第１の接続部）は、例えば、単相のＡＣ（Alternating Current）１００Ｖ用のプラグ（第１の形状の端子）が接続されるコンセントであり、差し込み口５０，５１を含んで構成される。
【００１４】
コンセント４１は、例えば、単相のＡＣ１００Ｖ用のプラグが接続され、コンセント４０の形状とは異なる形状のコンセントであり、差し込み口５１，５２を含んで構成される。
【００１５】
コンセント４２（第２の接続部）は、例えば、三相のＡＣ２００Ｖ用のプラグ（第２の形状の端子）が接続されるコンセントであり、差し込み口５０，５３〜５５を含んで構成される。なお、差し込み口５０，５３，５４の夫々には、三相のＡＣ２００Ｖの何れかの相の電圧が印加される電極が接続され、差し込み口５５には、グランド電圧が印加される電極が接続される。なお、差し込み口５０〜５５の夫々には、プラグの電極と接触する電極（不図示）が設けられている。
【００１６】
接続部４５（第２の接続部）は、例えば、クリップ形状の端子が接続される棒状の端子６０〜６４を含んで構成される。
【００１７】
ここで、図３を参照しつつ、接続板２１、ケーブル２２、及びコネクタ２３の接続関係について説明する。
【００１８】
差し込み口５０の電極は、差し込み口５２の電極および端子６０に接続される。差し込み口５１の電極は、差し込み口５３の電極および端子６２に接続される。差し込み口５４の電極は、端子６１に接続され、差し込み口５５の電極は、端子６３に接続される。また、端子６０〜６４の夫々には、ケーブル２２に含まれる５本の芯線７０〜７４が接続される。芯線７０〜７４の夫々は、コネクタ２３の内部に設けられた電極８０〜８４に接続される。なお、芯線７０が第１の芯線に相当し、芯線７２が第２の芯線に相当する。
【００１９】
このため、例えば、端子６０〜６２に三相のＡＣ２００Ｖが印加されると、コネクタ２３の電極８０〜８２からは、三相のＡＣ２００Ｖの夫々の相の電圧が出力される。また、例えば、端子６３に接地電圧（０Ｖ）が印加され、端子６４に直流１００Ｖが印加されると、コネクタ２３の電極８３，８４の間には、直流１００Ｖの電圧が発生する。
【００２０】
＝＝コネクタ２３に接続されるケーブル機器について＝＝
図４は、コネクタ２３に接続されるケーブル機器１００の構成を示す図である。ケーブル機器１００は、コネクタ１１０、ケーブル１２０、端子１３０〜１３４、及び結束バンド１４０，１４１を含んで構成される。なお、図４においては、コネクタ１１０の構造が容易に理解できるよう、コネクタ１１０の断面図が記載されている。
【００２１】
コネクタ１１０は、電工ドラム１０のコネクタ２３に接続される相手側のコネクタであり、内部には電極１５０〜１５４が設けられている。また、コネクタ１１０及びコネクタ２３が接続されると、コネクタ１１０の電極１５０〜１５４の夫々は、コネクタ２３の電極８０〜８４に接続される。  
ケーブル１２０は、例えば５本の芯線を含むケーブルであり、コネクタ１１０および端子１３０〜１３４を接続する。  
端子１３０は一般的な圧着端子であり、ケーブル１２０の芯線（不図示）を介して、電極１５０に接続される。端子１３１〜１３４も端子１３０と同様であり、端子１３１〜１３４の夫々は、ケーブル１２０の芯線を介して電極１５１〜１５４に接続される。  
結束バンド１４０は、ケーブル１２０のうち、端子１３０〜１３２が接続されるケーブルを結束し、結束バンド１４１は、ケーブル１２０のうち、端子１３３，１３４が接続されるケーブルを結束する。  
したがって、コネクタ２３及びコネクタ１１０が接続されると、接続板２１に設けられた端子６０〜６４の電圧の夫々と、端子１３０〜１３４の電圧とは等しくなる。
【００２２】
図５は、コネクタ２３に接続されるケーブル機器１０１の構成を示す図である。ケーブル機器１０１は、コネクタ１１１、ケーブル１２１、及び端子１３０〜１３３を含んで構成される。なお、以下においては、図４と同じ符号が付されているブロックは同じである。
【００２３】
コネクタ１１１は、コネクタ２３に接続される相手側のコネクタであり、内部には電極１５０〜１５３が設けられている。  
ケーブル１２１は、例えば４本の芯線を含むケーブルであり、コネクタ１１０および端子１３０〜１３３を接続する。なお、端子１３０〜１３３の夫々は、ケーブル１２１の芯線を介して電極１５０〜１５３に接続される。  
したがって、コネクタ２３にケーブル機器１０１が接続され、例えば、端子６０〜６２に三相のＡＣ２００Ｖが印加され、端子６３に接地電圧が印加されると、端子１３０〜１３２からはＡＣ２００Ｖが出力され、端子１３３は接地電圧が出力される。
【００２４】
図６は、コネクタ２３に接続されるケーブル機器１０２の構成を示す図である。ケーブル機器１０２は、コネクタ１１２、ケーブル１２２、及び端子１３０〜１３２を含んで構成される。
【００２５】
コネクタ１１２は、コネクタ２３に接続される相手側のコネクタであり、内部には電極１５０〜１５２が設けられている。  
ケーブル１２２は、例えば３本の芯線を含むケーブルであり、コネクタ１１２および端子１３０〜１３２を接続する。なお、端子１３１〜１３２の夫々は、ケーブル１２１の芯線を介して電極１５０〜１５２に接続される。  
したがって、コネクタ２３にケーブル機器１０２が接続され、例えば、端子６０〜６２に三相のＡＣ２００Ｖが印加されると、端子１３０〜１３２からはＡＣ２００Ｖが出力される。
【００２６】
図７は、コネクタ２３に接続されるケーブル機器１０３の構成を示す図である。ケーブル機器１０３は、コネクタ１１３、ケーブル１２３、及び端子１３０，１３２を含んで構成される。
【００２７】
コネクタ１１３は、コネクタ２３に接続される相手側のコネクタであり、内部には電極１５０，１５２が設けられている。  
ケーブル１２３は、例えば２本の芯線を含むケーブルであり、コネクタ１１３および端子１３０，１３２を接続する。なお、端子１３０，１３２の夫々は、ケーブル１２１の芯線を介して電極１５０，１５２に接続される。  
したがって、コネクタ２３にケーブル機器１０３が接続され、例えば、端子６０，６２に単相のＡＣ１００Ｖが印加されると、端子１３０，１３２からはＡＣ１００Ｖが出力される。
【００２８】
図８は、コネクタ２３に接続されるケーブル機器１０５の構成を示す図である。ケーブル機器１０５は、コネクタ１１３、ケーブル１２５、及びプラグ１７０を含んで構成される。なお、コネクタ１１３は、図７で示したコネクタと同様である。また、図８においては、プラグ１７０の構造が容易に理解できるよう、プラグ１７０の正面図が記載されている。
【００２９】
ケーブル１２５は、例えば２本の芯線を含むケーブルであり、コネクタ１１３およびプラグ１７０を接続する。  
プラグ１７０は、例えば、単相のＡＣ１００Ｖ用のプラグであり、電極１８０，１８１を含んで構成される。電極１８０，１８１の夫々は、ケーブル１２５の芯線を介して電極１５０，１５２に接続される。  
したがって、コネクタ２３にケーブル機器１０５が接続されると、プラグ１７０に印加される電圧は、接続版２１におけるコンセント４０の差し込み口５０，５１の電極に発生する。
【００３０】
図９は、コネクタ２３に接続されるケーブル機器１０６の構成を示す図である。ケーブル機器１０６は、コネクタ１１３、ケーブル１２６、及びプラグ１７１を含んで構成される。
【００３１】
ケーブル１２６は、例えば２本の芯線を含むケーブルであり、コネクタ１１３およびプラグ１７１を接続する。  
プラグ１７１は、例えば、単相のＡＣ１００Ｖ用のプラグであり、電極１８２，１８３を含んで構成される。電極１８２，１８３の夫々は、ケーブル１２６の芯線を介して電極１５０，１５２に接続される。  
したがって、コネクタ２３にケーブル機器１０６が接続されると、プラグ１７１の電極１８２，１８３に印加される電圧は、接続板２１におけるコンセント４１の差し込み口５１，５２の電極に発生する。
【００３２】
図１０は、コネクタ２３に接続されるケーブル機器１０７の構成を示す図である。ケーブル機器１０７は、コネクタ１１１、ケーブル１２７、及びプラグ１７２を含んで構成される。なお、コネクタ１１１は、図５で示したコネクタと同様である。
【００３３】
ケーブル１２７は、例えば４本の芯線を含むケーブルであり、コネクタ１１１およびプラグ１７２を接続する。  
プラグ１７２は、例えば、三相のＡＣ２００Ｖ用のプラグであり、電極１８５〜１８８を含んで構成される。電極１８５〜１８８の夫々は、ケーブル１２７の芯線を介して電極１５０〜１５３に接続される。なお、電極１８５〜１８７の夫々には、三相のＡＣ２００Ｖの何れか一相の電圧が印加され、電極１８８は接地電圧が印加される。  
したがって、コネクタ２３にケーブル機器１０７が接続されると、プラグ１７２の電極１８５〜１８８に印加される電圧は、接続板２１におけるコンセント４２の差し込み口５０，５３〜５５の電極に発生する。
【００３４】
＝＝電工ドラム１０の使用例＝＝
図１１は、電源装置２００からの三相のＡＣ２００Ｖ、及びＤＣ１００Ｖを作業用分電盤２１０に供給する際の電工ドラム１０の使用例を示す図である。なお、ここでは、ケーブル装置１００がコネクタ２３に接続されている。
【００３５】
電源装置２００は、三相のＡＣ２００Ｖ、及びＤＣ１００Ｖを生成する。ケーブル２０１は、三相のＡＣ２００Ｖが端子６０〜６２に印加され、接地電圧が端子６３に印加され、ＤＣ１００Ｖが端子６４に印加されるよう、電源装置２００と端子６０〜６４とを接続する。
【００３６】
コネクタ２３にケーブル装置１００が接続されると、端子１３０〜１３２には、三相のＡＣ２００Ｖが印加され、端子１３３は接地電圧が印加され、端子１３４はＤＣ１００Ｖが印加される。このため、端子１３０〜１３４を作業用分電盤２１０の端子（不図示）に接続することにより、作業用分電盤２１０には、ＡＣ２００Ｖ及びＤＣ１００Ｖが供給される。
【００３７】
図１２は、電源装置２００からの三相のＡＣ２００Ｖを作業用分電盤２１０に供給する際の電工ドラム１０の使用例を示す図である。この場合、図１１で示したケーブル装置１００の代わりに、ケーブル装置１０２を用いることにより、ＡＣ２００Ｖを作業用分電盤２１０に供給できる。
【００３８】
図１３は、単相のＡＣ１００Ｖ用のコンセント２５０からの電源を電気器具２６０に供給する際の電工ドラム１０の使用例を示す図である。
【００３９】
コネクタ２３には、コンセント２５０に対応するプラグ１７０を含むケーブル装置１０５が接続される。このため、コンセント２５０からのＡＣ１００Ｖは、接続板２１の端子６０，６２、コンセント４０，４１の夫々の電極に印加される。
【００４０】
電気器具２６０は、例えば、プラグ１７１と同じ形状のプラグを端子として有する。このため、電気器具２６０のプラグが接続板２１のコンセント４１に接続されると、電気器具２６０には、ＡＣ１００Ｖの電源が供給される。
【００４１】
以上、本発明の一実施形態である電工ドラム１０について説明した。電工ドラム１０には、様々な形状のプラグや端子が接続されるコンセント４０〜４２や、端子６０〜６４が設けられている。また、電工ドラム１０のコネクタ２３に相手側のコネクタ１１０等が接続されると、端子１３０〜１３４等の電圧と、コネクタ２３に印加される電圧、すなわち、端子６０〜６４等に印加される電圧とは一致する。したがって、このような電工ドラム１０を用いることにより、例えば、図１１〜１３に示すように、様々な形状の端子を有する電源装置２００、作業用分電盤２１０、コンセント２５０、電気器具２６０の間を接続できる。また、電工ドラム１０では、ケーブル間を接続するのにコネクタ２３，１１２等が用いられているため、例えば、ビニールテープでケーブル間を接続する場合と比較すると、安全にケーブル間を接続できる。
【００４２】
また、接続板２１においては、コンセント４０に印加されるＡＣ１００Ｖは、芯線７０，７２を介してコネクタ２３に印加され、コンセント４２に印加されるＡＣ２００Ｖは、芯線７０〜７２を介してコネクタ２３に印加される。このように、コンセント４０，４２において、芯線７０，７２を共有しているため、芯線の数を減らすことができる。
【００４３】
また、接続板２１には、ＤＣ１００Ｖが印加される端子６３，６４が設けられている。このため、コネクタ２３は、複数の電圧、例えば、ＡＣ２００Ｖ、及びＤＣ１００Ｖをコネクタ１１０等に出力することができる。
【００４４】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【符号の説明】
【００４５】
１０  電工ドラム
２０  胴部
２１  接続板
２２  ケーブル
２３，１１０〜１１３  コネクタ
４０〜４２，２５０  コンセント
５０〜５５  差し込み口
６０〜６４，１３０〜１３４  端子
７０〜７４  芯線
８０〜８４，１５０〜１５４，１８０〜１８８  電極
１４０，１４１  結束バンド
１７０〜１７２  プラグ
２００  電源装置
２１０  作業用分電盤
２６０  電気器具
【図１】
2012043699.tif 000003
【図２】
2012043699.tif 000004
【図３】
2012043699.tif 000005
【図４】
2012043699.tif 000006
【図５】
2012043699.tif 000007
【図６】
2012043699.tif 000008
【図７】
2012043699.tif 000009
【図８】
2012043699.tif 000010
【図９】
2012043699.tif 000011
【図１０】
2012043699.tif 000012
【図１１】
2012043699.tif 000013
【図１２】
2012043699.tif 000014
【図１３】
2012043699.tif 000015